(57)【要約】      （修正有）【課題】簡略構成でありながら、封筒内に入れて郵送した写真等の各種紙葉類を受信した側が、写真等の各種紙葉類を封筒内に設けたポケット部に入れて視認可能とし、かつ、ポケット部に各種紙葉類、重要書類等を入れた封筒自体を簡易に起立状態にできポケット部に入れた写真等を視認できるようにしたポケット部及び起立機能付き封筒セットを提供する。【解決手段】表片４の一部に設けた抜穴部分４ａに透明フィルムを貼って透視窓部８とした封筒本体３と、この封筒本体３における透視窓部８の内側に設けた写真や紙葉類の収容領域を形成するポケット部９と、を有する封筒と、封筒自体を起立状態にするためにスタンドとしての機能を果たし立体的に組み立て可能とした起立用型紙片２３と、を具備したことを特徴とする。【選択図】図１
0003183947.tif 000002
【実用新案登録請求の範囲】
【請求項１】
表片の一部に設けた抜穴部分に透明フィルムを貼って透視窓部とした封筒本体と、この封筒本体における前記透視窓部の内側に設けた写真や紙葉類の収容領域を形成するポケット部と、を有する封筒と、
この封筒自体を起立状態にするためにスタンドとしての機能を果たし立体的に組み立て可能とした起立用型紙片と、
を具備し
前記封筒内に入れて郵送した写真等の各種紙葉類を受信した側が、当該写真等の各種紙葉類を封筒内に設けた前記ポケット部に入れて視認可能とし、かつ、当該ポケット部に各種紙葉類、重要書類等を入れた前記封筒自体を起立状態にでき前記ポケット部に入れた写真等を視認できるようにしたポケット部及び起立機能付き封筒セット
【請求項２】
表片の一部に設けた抜穴部分に透明フィルムを貼り透視窓部とした封筒本体と、封筒本体における前記透視窓部の内側において前記抜穴部分外側の前記表片の裏面領域に、前記封筒本体の開封側に出入部を有しつつポケット形成用フィルムを貼り付けることにより設けた紙葉類の収容領域を形成するポケット部と、を有する封筒と、
文字等からなる各種メッセージを記載する前記ポケット部に収容可能なサイズのメッセージ用紙片と、封筒自体を起立状態にするためにスタンドとしての機能を果たし立体的に組み立て可能とした起立用型紙片とを、境界部に点在状態に切目を入れて分離可能、かつ、折り畳み可能な一枚の紙葉類とするとともに、
前記封筒内に入れて郵送した写真等の各種紙葉類を受信した側が、当該写真等の各種紙葉類を封筒内に設けた前記ポケット部に入れて視認可能とし、かつ、当該ポケット部に各種紙葉類、重要書類等を入れた前記封筒自体を起立状態にでき前記ポケット部に入れた写真等を視認できるようにしたポケット部及び起立機能付き封筒セット
【考案の詳細な説明】
【技術分野】
【０００１】
本考案は、簡略構成でありながら、封筒内に入れて郵送した写真等の各種紙葉類を例えば受信した側が、当該写真（勿論この他の写真等も可）等の各種紙葉類を封筒内に設けたポケット部に入れて視認可能とし、かつ、当該ポケット部に各種紙葉類、重要書類等を入れた封筒自体を簡易に起立状態にできポケット部に入れた写真等を視認できるようにしたポケット部及び起立機能付き封筒セットに関するものである。
【背景技術】
【０００２】
従来から、封筒に加工を施し、封筒として郵便に供された後に受取人側で封筒を起立状態のスタンド状態とし、封筒内に収容され送られてきた写真等を封筒の表面外部から透明窓を介して視認し得るようにした封筒が種々提案されている。
【０００３】
しかし、従来のこの種の封筒の場合、封筒の裏面にスタンド片を付加する等の加工を施したものがほとんどであり、この結果、当該封筒は専ら送られてきた写真等を見るための専用具として機能するだけのものであった。
【０００４】
例えば、特許文献１には、額縁状の開口部と写真立て機能を備え、また、内装した写真が透明フィルムを通して見ることができるように構成した写真郵送用封筒が提案されている。
【０００５】
また、特許文献２には、封筒として郵便に供された後に、ピクチャーフレームとして使用することができるように構成したピクチャーフレーム機能付き封筒が提案されている。
【０００６】
しかし、特許文献１の場合には、封筒の上面部に開閉蓋部を連設し、この開閉蓋部をスタンド片として機能させる構成であり、また、特許文献２の場合は、封筒のシートにスタンド片を付加した構成であり、いずれも上述した場合と同様、専ら送られてきた写真等を見るための専用具として機能するだけのものである。
【先行技術文献】
【特許文献】
【０００７】
【特許文献１】実開平６−５７８２６号公報
【特許文献２】特開２００４−１８９２９４号公報
【考案の概要】
【考案が解決しようとする課題】
【０００８】
本考案が解決しようとする問題点は、簡略構成でありながら、封筒内に入れて郵送した写真等の各種紙葉類を例えば受信した側が、当該写真（勿論この他の写真等も可）等の各種紙葉類を封筒内に設けたポケット部に入れて視認可能とし、かつ、当該ポケット部に各種紙葉類、重要書類等を入れた封筒自体を簡易に起立状態にできポケット部に入れた写真等を視認できるようにしたポケット部及び起立機能付き封筒セットが存在しない点である。
【課題を解決するための手段】
【０００９】
本考案に係るポケット部及び起立機能付き封筒セットは、表片の一部に設けた抜穴部分を透視窓部とした封筒本体と、この封筒本体における前記透視窓部の内側に設けた紙葉類の収容領域を形成するポケット部と、を有する封筒と、この封筒自体を起立状態にするためにスタンドとしての機能を果たし立体的に組み立て可能とした起立用型紙片と、を具備したことを特徴とする。
【考案の効果】
【００１０】
請求項１、２記載の各考案によれば、簡略構成でありながら、封筒内に入れて郵送した写真等の各種紙葉類を例えば受信した側が、当該写真（勿論この他の写真等も可）等の各種紙葉類を封筒内に設けたポケット部に入れて視認可能とし、かつ、当該ポケット部に各種紙葉類、重要書類等を入れた封筒自体を簡易に起立状態にできポケット部に入れた写真等を視認できるようにしたポケット部及び起立機能付き封筒セットを実現し提供することができる。
【図面の簡単な説明】
【００１１】
【図１】図１は本考案の実施例に係るポケット部及び起立機能付き封筒セットの封筒及び送信用紙葉類を示す説明図である。
【図２】図２は本実施例に係るポケット部及び起立機能付き封筒セットにおける封筒を示す表面図である。
【図３】図３は本実施例に係るポケット部及び起立機能付き封筒セットにおける封筒を示す裏面図である。
【図４】図４は本実施例に係るポケット部及び起立機能付き封筒セットにおける封緘片を開いた状態の封筒を示す表面図である。
【図５】図５は本実施例に係るポケット部及び起立機能付き封筒セットにおける封緘片を開いた状態の封筒を示す裏面図である。
【図６】図６は本実施例に係るポケット部及び起立機能付き封筒セットにおける送信用紙葉類を示す表面図である。
【図７】図７は本実施例に係るポケット部及び起立機能付き封筒セットにおけるメッセージ用紙片を示す表面図である。
【図８】図８は本実施例に係るポケット部及び起立機能付き封筒セットにおける起立用型紙片を示す表面図である。
【図９】図９は本実施例に係るポケット部及び起立機能付き封筒セットにおける起立用型紙片を立体的に組み立て起立具とした状態を示す概略斜視図である。
【図１０】図１０は本実施例に係るポケット部及び起立機能付き封筒セットにおいて起立具により観賞用紙葉類を収納した封筒を起立保持した状態を示す概略正面図である。
【図１１】図１１は本実施例に係るポケット部及び起立機能付き封筒セットにおいて起立具により観賞用紙葉類を起立保持した状態を示す概略正面図である。
【考案を実施するための形態】
【００１２】
本考案は、簡略構成でありながら、封筒内に入れた例えば写真等の紙葉類の起立状態での視認が可能であることは勿論のこと、体裁が良好な使用態様の基に重要書類等、各種紙葉類を起立状態で視認することができ、各種紙葉類の管理の点でも有効な紙葉類の視認態様の多様化を実現し得るポケット部及び起立機能付き封筒セットを提供するという目的を、表片の一部に設けた抜穴部分に透明フィルムを貼り透視窓部とした封筒本体と、封筒本体における前記透視窓部の内側において前記抜穴部分外側の前記表片の裏面領域に、前記封筒本体の開封側に出入部を有しつつポケット形成用フィルムを貼り付けることにより設けた紙葉類の収容領域を形成するポケット部と、を有する封筒と、文字等からなる各種メッセージを記載する前記ポケット部に収容可能なサイズのメッセージ用紙片と、この封筒自体を起立状態にするためにスタンドとしての機能を果たし立体的に組み立て可能とした起立用型紙片とを、境界部に点在状態に切目を入れて分離可能、かつ、折り畳み可能な一枚の紙葉類とするとともに、前記封筒内に入れて郵送した写真等の各種紙葉類を受信した側が、当該写真等の各種紙葉類を封筒内に設けた前記ポケット部に入れて視認可能とし、かつ、当該ポケット部に各種紙葉類、重要書類等を入れた前記封筒自体を起立状態にでき前記ポケット部に入れた写真等を視認できるようにしたポケット部及び起立機能付き封筒セットとして構成したことにより実現した。
【実施例】
【００１３】
以下、本考案の実施例に係るポケット部及び起立機能付き封筒セット１について図面を参照して詳細に説明する。
【００１４】
本実施例に係るポケット部及び起立機能付き封筒セット１は、図１、図５に示すように、四角形状の表片４の一部の一部（中央部）に横長長方形状の抜穴部分４ａを設け略四角形状の透視窓部８とした封筒本体３と、前記透視窓部８の内側に紙葉類の収容領域を形成するポケット部９と、を具備し、例えばクラフト紙を用いて形成した洋封筒形態とした封筒２と、文字等からなる各種メッセージ（例えば誕生日おめでとう等のメッセージ）を記載するメッセージ用紙片２２（この裏面は宛名記載面となる）と紙葉類等の起立用型紙片２３とを両者の境界部に点在状態に切目２４を入れて分離可能、かつ、折り畳み可能な一枚の紙葉類とした送信用紙葉類２１と、を有して構成している。
【００１５】
また、本実施例に係るポケット部及び起立機能付き封筒セット１は、図１下欄に示すように、前記送信用紙葉類２１に加えて、前記封筒２内に入れられ送信先での観賞に供する例えば人物像等が表示された写真紙、人物像等が表示されたカラー画像プリント紙等の観賞用紙葉類３１を任意的に（送信者の意思に応じて）含む構成としている。
【００１６】
本実施例における前記封筒２について、以下詳述する。
【００１７】
前記封筒２は、図２乃至図５に示すように、例えば横長長方形状に形成した封筒本体３と、この封筒本体３の開口部を封緘する封緘片（ベロ）６と、を有している。
【００１８】
前記封筒本体３は、横長長方形状の表片４と、この表片４の裏側を占めるとともに前記表片４のサイズより小サイズで、かつ、図５に示すように略台形状を呈し表片４に対して折り込み重ね合わせる裏片５と、前記表片４の両側辺部に各々一体に、かつ、折り込み可能に設けた左右一対の折り込み片７、７と、を具備している。
【００１９】
そして、図５に示すように、公知の内カマス貼りの形態で一対の折り込み片７、７の辺部と裏片５の両辺部とを貼り合わせ、その内部に表片４のサイズより若干小サイズを持った各種紙葉類の収容領域Ａを形成している。
【００２０】
前記透視窓部８は、表片４の一部（中央部）に設けた横長長方形状の抜穴部分４ａに対して、表片４の裏側から抜穴部分４ａよりサイズの大きい透明フィルム１０を貼り付けることにより形成し、透明フィルム１０を経て表片４の外側から内部視認可能な構成としている。
【００２１】
前記ポケット部９は、前記透明フィルム１０よりも裏片５側で、かつ、前記透視窓部８より外側の位置で前記封筒本体３の開口側に出入部９ａを有しつつポケット形成用フィルム１１を前記透明フィルム１０に重ね合わせるようにし貼り付けることにより、封筒本体３の収容領域Ａとは前記ポケット形成用フィルム１１により区画され、かつ、前記透視窓部８の外側から視認可能な紙葉類の収容領域１２を形成する構成としている。
【００２２】
前記封緘片６は、図４、図５に示すように、表片４の上辺（開口側）側に一体的に、かつ、前記裏片５側に折り込み可能に連設され、図５において前記折り込み片７、７の上部側及び前記裏片５の上部側に接合して封筒本体３の開口側を封緘するように構成している。
【００２３】
すなわち、前記封緘片６の上片近傍位置には細長長方形状を呈するように封緘用糊部１３が設けられるとともに、前記封筒２の未使用状態では封緘用糊部１３全体を覆う封緘用糊部覆片１４を剥離可能に設けている。
【００２４】
また、前記表片４の上辺と封緘用糊部１３との間の位置には、上辺及び下辺に鉤形状の切目を連続的に設けた細長長方形状を呈する剥ぎ取り開封片１５を前記封緘用糊部１３と平行配置に設けている。
【００２５】
前記送信用紙葉類２１は、図６に示すように、四角形状のメッセージ用紙片２２と、同じく四角形状の紙葉類等の起立用型紙片２３とを、両者の境界部に点在状態に切目２４を入れて分離可能、かつ、折り畳み可能な一枚の長方形状の紙葉類により構成している。
【００２６】
前記送信用紙葉類２１において、切目２４の部分で分離したメッセージ用紙片２２を図７に示し、また、切目２４の部分で分離した起立用型紙片２３を図８に示す。
【００２７】
前記メッセージ用紙片２２には、例えば「お誕生日おめでとう」等の任意のメッセージを記載するようにしている。なお、送信用紙葉類２１は、いずれかの一面がメッセージ用紙片２２となっていて、他の一面は宛名を記載する面になっている。送信用紙葉類２１の宛名を記載する面は、宛名を記載した後、前記透視窓部８の外側から視認可能な紙葉類の収容領域１２におけるポケット部９に入れられて郵送されるようになっている。
【００２８】
また、前記起立用型紙片２３は、図８において下部に位置する手前に（又は後方に）折り込み可能な細幅長方形状の底片部２９と、前記起立用型紙片２３の中央部上側に下方に垂下するように一体に設けた中央上片２５と、前記起立用型紙片２３の中央部下側に上方に立ち上がるように一体に設けた中央下片２７と、前記中央上片２５及び中央下片２７の両側に、各々後方に折り込み可能に設けた左右対称形状の一対の片開き扉状の起立片２６、２６と、前記中央下片２７の上側で中央上片２５の下側を占める位置に前記一対の起立片２６、２６により囲まれる配置で、かつ、前記中央下片２７に対して後方に折り込み可能に設けた例えば略半楕円形状を呈し、かつ、図６、図８に示すように上辺部中央位置に一定サイズの凹部２８ａを設けた起立補助片２８と、を具備している。
【００２９】
前記中央上片２５の突出端には、図６、図８に示すように、前記凹部２８ａに対応する形状の一定サイズの凸部２５ａを設けている。
【００３０】
図８において、点線は折り込み部を示し、実線は切目を示す。
【００３１】
すなわち、前記一対の起立片２６、２６は、前記中央上片２５、中央下片２７との境界部（点線で示す）を除いて切目により前記起立用型紙片２３自体及び起立補助片２８の外周部と分離可能に形成している。
【００３２】
また、前記起立補助片２８は、前記一対の起立片２６、２６と分離可能であるとともに、前記凹部２８ａも前記凸部２５ａと分離可能に形成している。
【００３３】
上述した構成の起立用型紙片２３を基に、前記底片部２９を手前に折り込むとともに、前記一対の起立片２６、２６を起立用型紙片２３自体に対して各々後方に９０度折り込み、前記起立補助片２８も起立用型紙片２３自体に対して後方に９０度折り込んで立体的に組み立てた起立具３０を図９に示す。
【００３４】
この起立具３０においては、前記起立補助片２８の凹部２８ａの両隅部に、前記一対の起立片２６、２６の内側角部２６ａ、２６ａが各々係合する状態となって、これにより、前記一対の起立片２６、２６は一定間隔の平行配置の状態を安定して保持することになり、前記底片部２９と一対の起立片２６、２６とによって、前記起立具３０自体がその上部を若干後方に傾斜した態様で前記封筒２等用のスタンドとして機能する。
【００３５】
次に、本実施例に係るポケット部及び起立機能付き封筒セット１の具体的使用態様について、図１０を参照して説明する。
【００３６】
本実施例に係るポケット部及び起立機能付き封筒セット１を所持した送信者（送信元）は、送信用紙葉類２１のメッセージ用紙片２２に、例えば「お誕生日おめでとう」等の任意のメッセージを記載した後、送信用紙葉類２１を折り畳み、封筒２の収容領域Ａ内に入れ、また、また、任意的に観賞用紙葉類３１も入れ、更に、前記送信用紙葉類２１のメッセージ用紙片２２の裏面の宛名記載面に宛名を記載した後、前記ポケット部９に当該宛名を記載した送信用紙葉類２１を入れて封筒２を封緘し、郵便にて送信先に送る。
【００３７】
送信されてきた封筒２を受け取った受信者は、前記剥ぎ取り開封片１５を剥ぎ取る等して封筒２を開封し、前記ポケット部９から宛名を記載した前記送信用紙葉類２１を取り出し、観賞用紙葉類３１も取り出す。
【００３８】
次に、受信者は前記送信用紙葉類２１の一面でありメッセージが記載されているメッセージ用紙片２２（宛名記載面の裏面）と、起立用型紙片２３とに分離し、起立用型紙片２３を立体的に組み立て、図９に示すような組み立てた起立具３０とする。
【００３９】
更に、観賞用紙葉類３１を封筒２のポケット部９に入れ、観賞用紙葉類３１の人物像等を前記透視窓部８の外側から視認可能な状態とした後、図１０に示すように、前記封筒２を起立具３０に立て掛け、これらを応接テーブル、食卓等の上に置き観賞用紙葉類３１を視認に供する。
【００４０】
前記メッセージ用紙片２２を上述した場合と同様に封筒２のポケット部９に入れ起立具３０に立て掛け視認に供するようにすることも勿論可能である。
【００４１】
図１１は別の使用態様として前記観賞用紙葉類３１を、前記封筒２内に入れず直接起立具３０に立て掛け視認に供する状態を示すものである。
【００４２】
この他、前記起立具３０に対して、例えば公的機関から送信されてきた年金関係の重要書類等を起立具３０に立て掛ける態様としてこれらを応接テーブル、食卓等の上に置くことにより、例えば年配者等にとって重要書類等の管理に好適な使用態様とすることができる。
【００４３】
本実施例に係るポケット部及び起立機能付き封筒セット１によれば、簡略構成でありながら、前記封筒２内に入れた写真紙等の観賞用紙葉類３１の起立状態での視認が可能であることは勿論のこと、体裁が良好な使用態様の基に重要書類等、各種紙葉類を起立状態で視認することができ、各種紙葉類の管理の点でも有効な紙葉類の視認態様の多様化を実現することができる。
【００４４】
本実施例に係るポケット部及び起立機能付き封筒セット１は、例えば、このポケット部及び起立機能付き封筒セット１を数個一組として販売に供する等の販売態様を採用することも可能である。
【産業上の利用可能性】
【００４５】
本考案は、上述した場合の他、起立具を、例えば音楽ＣＤ等の音響媒体用、コンピュータ用のＣＤ、ＤＶＤ等の記憶媒体用等の簡略な起立視認用具として利用する等の応用が可能である。
【符号の説明】
【００４６】
１    ポケット部及び起立機能付き封筒セット
２    封筒
３    封筒本体
４    表片
４ａ  抜穴部分
５    裏片
６    封緘片
７    折り込み片
８    透視窓部
９    ポケット部
９ａ  出入部
１０    透明フィルム
１１    ポケット形成用フィルム
１２    収容領域
１３    封緘用糊部
１４    封緘用糊部覆片
１５    開封片
２１    送信用紙葉類
２２    メッセージ用紙片（この裏面は宛名記載面）
２３    起立用型紙片
２４    切目
２５    中央上片
２５ａ  凸部
２６    立片
２６ａ  内側角部
２７    中央下片
２８    起立補助片
２８ａ  凹部
２９    底片部
３０    起立具
３１    観賞用紙葉類
Ａ    収容領域
【図１】
0003183947.tif 000003
【図２】
0003183947.tif 000004
【図３】
0003183947.tif 000005
【図４】
0003183947.tif 000006
【図５】
0003183947.tif 000007
【図６】
0003183947.tif 000008
【図７】
0003183947.tif 000009
【図８】
0003183947.tif 000010
【図９】
0003183947.tif 000011
【図１０】
0003183947.tif 000012
【図１１】
0003183947.tif 000013